(57)【要約】【課題】従来の冷却塔に使用する充填材受けは、非常に大きく、重いものであったため、現場での設置作業には、非常に手間の係る作業であった。【解決手段】冷却塔１の下部水槽２内に、空気流通方向に平行な複数列の棚部３を形成し、少なくとも２列の棚部３上面に、受け材係止部４を複数配設し、複数の充填材受け材５を、前記棚部３と直交方向に複数本設置するとともに、前記受け材係止部４に係止したことを特徴とする下段充填材構成体６。【選択図】　図１
2004108668.tif 000002
【特許請求の範囲】
【請求項１】
冷却塔（１）の下部水槽（２）内に、空気流通方向に平行な複数列の棚部（３）を形成し、少なくとも２列の棚部（３）上面に、受け材係止部（４）を複数配設し、複数の充填材受け（５）を、前記棚部（３）と直交方向に複数本設置するとともに、前記受け材係止部（４）に係止したことを特徴とする下段充填材受け構成体（６）。
【請求項２】
冷却塔（１）の内部に載置される上段充填材ブロック（７）と下段充填材ブロック（８）の間に介在する中間充填材受け構成体（９）において、充填材受け差込穴（９１）を複数有する中間充填材受けサポート（９２）を空気流通方向に対して平行に少なくとも２枚配設し、前記中間充填材受けサポート（９２）の中間充填材受け差込穴（９１）に中間充填材受け（９３）を差込むことにより、前記中間充填材受けサポート（９２）に直交する方向に中間充填材受け（９３）を配設したことを特徴とする中間充填材受け構成体（９）。
【請求項３】
請求項１記載の下段充填材受け構成体（６）上に下段充填材ブロック（８）を載置し、該下段充填材ブロック（８）と上段充填材ブロック（７）との間に介在する請求項２記載の中間充填材受け構成体（９）とを有することを特徴とする冷却塔（１）。
【発明の詳細な説明】
【０００１】
【発明の属する技術分野】
本発明は、冷却塔の内部に設置される多段の充填材ブロックを受ける充填材受け構成体及び該構成体を用いた冷却塔に関する。詳しくは、下段充填材ブロックを支持する下段充填材受け構成体と、上段充填材ブロックと下段充填材ブロックの間に介在する中間充填材受け構成体と、前記下段充填材受け構成体と前記中段充填材受け構成体を有する冷却塔に関する。
【０００２】
【従来の技術】
従来より、工場の各種設備、ビルの冷房装置などから排出される温水を循環使用するために、冷却塔が使用されている。冷却塔内には充填材が載置され、上記温水はこの充填材内で外部空気と接触して冷却され、再び冷房装置などに返送される。
冷却塔の組立ては、設置場所で行われ、非常に手間のかかる作業であった。また、充填材受けも同様に冷却塔の設置場所にて、冷却塔内に設置されていた。
【０００３】
充填材受けとしては、図２に示すように、棚部３を有する下部水槽２の棚部上面３１に、金網状の充填材受け１０を載置していた。また、２段に充填材ブロックを積み重ねる場合も、下段充填材ブロック８と上段充填材ブロック７との間に金網状の充填材受け１０を介在させていた。３段以上の場合も同様に金網状の充填材受け１０を介在させていた。
【０００４】
冷却塔の使用時には、熱交換を行うために充填材に熱交換させる温水を充填材ブロックに散布を行い、充填材を流下させながら外部空気との接触により熱交換を行うため、温水の重量が加わって充填材ブロックは非常に重いものとなる。このため、金網上の充填材受け１０は、充填材ブロックを支持する大きさと強度が必要になるため、大きく重い取り扱いづらいものとなっていた。しかも実際に充填材ブロックを支持しているのは、空気流通方向に直交した針金のみであり、他の針金には無駄があった。
【０００５】
他の提案されている充填材受けの例としては、特許文献１のように、梁、金網、位置決め部材、倒れ防止部材、エリミネータガイドからなる充填材受けが記載されている。しかし、この充填材受けには、倒れ防止、エリミネータガイド等の機能的部分を付加する必要があり、また、充填材受けとしては、大きく重いことから、非常に取り扱いづらく設置作業の効率が悪いという問題点があった。
【０００６】
【特許文献１】
特開平０７−２５３２９１号公報（第４頁、第１図）
【０００７】
【発明が解決しようとする課題】
本発明は、上述の課題を解決すべく為されたものであって、冷却塔用の下段充填材受け構成体６と、中間充填材受け構成体９と、下段充填材受け構成体６と中間充填材受け構成体９とを有する冷却塔１を提供しようとするものである。
【０００８】
【課題を解決するための手段】
本発明は、冷却塔の下部水槽内に、空気流通方向に平行な複数列の棚部を形成し、少なくとも２列の棚部上面に、受け材係止部を複数配設し、複数の充填材受け材を、前記棚部と直交方向に複数本設置するとともに、前記受け材係止部に係止したことを特徴とする下段充填材構成体である。前記構成とすることで、充填材受けの重量自体を軽くし、非常に手間のかかっていた下部充填材受け構成体の設置作業を非常に簡単に行えることができる。
【０００９】
また、冷却塔の内部に載置される上段充填材ブロックと下段充填材ブロックの間に介在する中間充填材受け構成体において、充填材受け差込穴を複数有する中間充填材受けサポートを空気流通方向に対して平行に少なくとも２枚配設し、前記中間充填材受けサポートの充填材受け差込穴に充填材受けを差込むことにより、前記中間充填材受けサポートに直交する方向に充填材受けを配設したことを特徴とする中間充填材受け構成体である。前記構成とすることで、充填材受け重量自体を軽くし、非常に手間のかかっていた中間充填材受け構成体の設置作業を非常簡単に行えることができる。
【００１０】
さらに、請求項１記載の下段充填材受け構成体上に下段充填材ブロックを載置し、該下段充填材ブロックと上段充填材ブロックとの間に介在する請求項２記載の中間充填材受け構成体とを有することを特徴とする冷却塔である。前記冷却塔とすることで、従来設置に非常に手間のかかっていた下部充填材受け構成体と中間充填材受け構成体を簡単に設置できることから、冷却塔の設置作業時間を大幅に削減できる。
【００１１】
【発明の実施の形態】
以下、本発明の実施例を図面に基づき説明する。
図１は、本発明の冷却塔用下段充填材受け構成体の部分断面斜視説明図。
図２は、従来の冷却塔用下段充填材受け構成体の部分断面斜視説明図。
図３は、本発明の中間充填材受け構成体の斜視説明図。
図４は、本発明の下段充填材受け構成体と中間充填材受け構成体を設置した冷却塔の説明図。
図５−１〜４は、本発明の充填材受け係止部実施例の斜視図である。
図６−１〜４は、本発明の充填材受け端部係止部実施例の斜視図である。
また、本発明は図面に限定されるものではない。
【００１２】
図１に示すように、下段充填材受け構成体６は、冷却塔用の下部水槽２と充填材受け５とからなら構成されている。
冷却塔用の下部水槽２には、散水槽１１より、熱交換するために散布した熱交換温水が、上部充填材ブロック７と下部充填材ブロック８の充填材表面を流下しながら、外部流通空気と接触して熱交換を行い下部水槽に一時的に蓄えられる。
【００１３】
下部水槽６は、熱交換された水が蓄えられる最下底部６１、側壁立接面６２、空気流入側立接面６３によって、上部開口した略函状の形状である。
また、下部充填材ブロック８の垂下する位置の傾斜底部６４は、冷却塔の内部側流下した熱交換水が冷却塔の内部側に流れるように傾斜しており、前記充填材ブロックを支持するため、空気流通方向に平行に傾斜底部６４から立接させた少なくとも２個の棚部３を形成している。
【００１４】
以下棚部３について説明する。
棚部３は、空気流通方向に対して平行になるように、少なくとも２つ配列する。また、図１に示すように、充填材受け５の端部を支持できるように、側壁立接面６２から突出するように形成した２つの棚部３と、充填材受け５の中部を支持する棚部３を２つで形成することにより、充填材受け５の端部、充填材受けの中部で支持できることでより、充填材受け５のたわみを防止できることから好ましい。
棚部３の数は、少なすぎると充填受け５を十分に支持することができず、多すぎると棚部３により、傾斜底部６４での受水量が減ってしまうという問題が生じるため好ましくない。
棚部上面３１は、充填材ブロック８を水平に支持する必要があることから、吸気流通方向に対して、水平に設定する必要がある。
【００１５】
前記棚部３の棚部上面３１には、棚部３の設置方向に対して垂直になるように充填材受け５が係止支持できるように、充填材受け係止部４を複数配置している。充填材受け係止部４の形状としては、充填材受け５が空気の流通方向に移動できない程度に係止されていれば問題なく、例えば、図５−１に示すように、充填材受け５の形状に即した半円状の嵌合部、図５−２に示すように、充填材受け５が係止できるような角状の凹部、図５−３に示すように、充填材受け５の下端を支持できるような半円状の凹部をなすような凸状部４２、図５−４に示すように、空気流通方向に移動しないような２つの突起状部４３などがある。
【００１６】
図１に示すように、充填材受け５の端部を支える棚部３は、充填材受け５を空気流通方向及び該方向に垂直方向に移動できない形状であれば問題ない。例えば、図６−１に示すように、空気流通方向に移動しないような充填材５の形状に即した半円状の凹部と空気流通方向に垂直方向の移動を規制する端面４１、図６−２に示すように、空気流通方向に移動しないような充填材５が移動しないような角状の凹部と空気流通方向に垂直方向の移動を規制する端面４１、図６−３に示すように、空気流通方向に移動しないような充填材受け５の形状に即した半円状の凹部が形成されるような凸部４２と空気流通方向に垂直方向に移動しないような端面４１、図６−４に示すように、空気流通方向に充填材受け５が移動できないような２つ突起部４３と空気流通方向に充填材受け５が移動しないような突起部、等で形成された充填材受け係止部４が上げられる。また充填材受けが空気流通方向に対して垂直方向に熱膨張したことを考慮して、充填材受け端部と充填材受け係止部の端面４１との間に隙間があけられていることがより好ましい。
充填材受け５と充填材受け係止部４とは、接着剤などにより固定しても構わないが、下部水槽６の掃除、メンテナンスの面から、充填材受け５が容易に取り外せるように接着しないことが好ましい。
【００１７】
充填材受けとしては、長さ、径、設置本数は、冷却塔の大きさにもよるが、例えば、長さとしては、１．５〜２．５ｍ、径としては、４〜１０ｍｍ、設置本数としては、４〜８本程度である。材質としては、熱交換温水にさらされることから、錆ない材質のものあるいは、防錆処理を施したものが好まく、特にステンレススチール間が好ましい。
【００１８】
図３に示すように、中間充填材受け構成体９は、中間充填材受け９３と中間充填材受けサポート９２から構成される。中間充填材受け９３は下段充填材受け５と同様のものである。中間充填材受けサポート９２は、所定数の中間充填材受け９３が貫通するように差込穴９１を構成し、中間充填材受け９３が空気の流入方向に移動しない形状であれば問題ない。組立て作業は、下段充填材ブロック８を冷却塔１に設置した後に行う場合には、所定本数の中間充填材受け９３を下段充填材ブロック８の上に載せて、下段充填材ブロック上で作業を行えば、組立後の載せるより重量による負荷なく中間充填材構成体９を形成することができる。充填材受け９３と充填材受けサポート９２は接着しても構わないが、接着しなくても良い。接着しない場合は、中間充填材受けサポート９２の位置を充填材受けの端部よりから少し内側になるように設置し、中間充填材受け９３ははずれない長さに設定する必要がある。
【００１９】
中間充填材受けサポート９２は、中間充填材受け９３が等間隔になるように保持できれば問題ないことから、厚みは、２〜４ｍｍ程度と薄いものである。また、設置時には、中間充填材受けサポート９２の下端部は、積層充填材間の隙間に収まり、上段充填材ブロック７を支持するのは、各充填材積層方向に直行する方向で設置された所定本数の中間充填材受け９３である。
【００２０】
図４は、下段充填材受け構成体６と中間充填材受け構成体９を設置した冷却塔の説明図である。
図４に示すように、下段充填材受け構成体６は、下部水槽２の充填材受け係止部４に充填材受け５を所定本数配置することにより形成され、形成された下段充填材構成体６の上に、下段充填材ブロック８を載置する。
【００２１】
中間充填材受け構成体９は、中間充填材受け構成体９を組み立てた後に、充填材ブロック上に載置しても、下段充填材ブロック８上で中間充填材受け受けサポート９２に中間充填材受け９３を差し込んで形成しても良いが、中間充填材受けサポート９２の下端面が下段の各充填材積層間に収まるように配置し、中間充填材受け構成体９の中間充填材受け９３の下端が充填材ブロック９に直接接触するように配置することで、中間充填材受け９３と下段充填材ブロック８の上端がより多くの接点を有することから好ましい。
次に、上段充填材ブロック７を載置するが、下段充填材ブロック８と同様に中間充填材受けサポート９２が、上段の各充填材積層間に収まるように配置することで、中間充填材受け構成体９の中間充填材受け９３の上端と上段充填材ブロック７との接置するように配置することで、中間充填材受け９３と上段充填材ブロック７がより多くの設置点を有することから好ましい。
また、上段充填材ブロック７と下段充填材ブロック８との自重により、中間充填材受け９３と下段充填材受け５とは、空気流通方向及び垂直な方向に移動しずらくなって納まりが良い。
【００２２】
【発明の効果】
本発明は、下段充填材受け構成体と中間充填材受け構成体との構成をより簡単にすることで、充填材受けの重量自体を軽くし、非常に手間のかかっていた充填材受けの設置作業を簡単にできる下段充填材受け構成体と中間充填材受け構成体とを提供することができる。
【図面の簡単な説明】
【図１】本発明の冷却塔用下段充填材受け構成体の部分断面斜視説明図
【図２】従来の冷却塔用下段充填材受け構成体の部分断面斜視説明図
【図３】本発明の中間充填材受け構成体の斜視説明図
【図４】本発明の下段充填材受け構成体と中間充填材受け構成体を設置した冷却塔の説明図
【図５】本発明の充填材受け係止部実施例の斜視図
【図６】本発明の充填材受け端部係止部実施例の斜視図
【符号の説明】
１　　冷却塔
２　　下部水槽
３　　棚部
４　　係止部
５　　充填材受け材
６　　下段充填材受け構成体
７　　上段充填材ブロック
８　　下段充填材ブロック
９　　中間充填材受け構成体
９１　中間充填材受け差込穴
９２　中間充填材受けサポート
９３　中間充填材受け
【図１】
2004108668.tif 000003
【図２】
2004108668.tif 000004
【図３】
2004108668.tif 000005
【図４】
2004108668.tif 000006
【図５】
2004108668.tif 000007
【図６】
2004108668.tif 000008